(57)【要約】【課題】  本発明は、ビデオテープレコーダ、ビデオテープレコーダの制御方法、ビデオテープレコーダの制御プログラム及びビデオテープレコーダの制御プログラムを記録した記録媒体に関し、例えばＭＰＥＧ２により可変長符号化処理してビデオデータを記録するビデオテープレコーダに適用して、その時点で再生しているビデオデータの時間情報から、対応する磁気テープ上の記録位置に迅速に移動して所望の処理を実行することができるようにする。【解決手段】  本発明は、所望するビデオデータの復号時刻の管理情報とストリーミングデータを復号手段に留める時間の情報とにより磁気テープの各記録トラックに設定した位置情報を計算し、該計算した位置情報により記録時はＰピクチャ又はＩピクチャにより頭出しし、再生時はＩピクチャにより頭出しする。【選択図】        図１
2006203277.tif 000002
【特許請求の範囲】
【請求項１】
磁気テープに順次斜めに記録トラックを形成してビデオデータを記録するビデオテープレコーダにおいて、
前記ビデオデータをＧＯＰにより区切ってＩピクチャ、Ｐピクチャ、Ｂピクチャを設定して符号化処理することにより、前記ビデオデータを可変長符号化処理してストリーミングデータを出力する符号化手段と、
前記各記録トラックに位置情報を設定して、前記符号化手段から出力される前記ストリーミングデータを前記磁気テープに順次記録して前記記録トラックを形成する記録系と、
磁気ヘッドから出力される再生信号を信号処理して、前記磁気テープに記録された前記ストリーミングデータを再生する再生系と、
前記再生系で再生される前記ストリーミングデータから前記ビデオデータを復号する復号手段と、
全体の動作を制御する制御手段とを備え、
前記制御手段は、
ユーザーの所望する前記ビデオデータの復号時刻の管理情報と前記ストリーミングデータを前記復号手段に留める時間の情報とに基づいて、前記磁気テープに記録された前記位置情報を計算し、
前記ユーザーの所望するビデオデータの復号時刻より前記磁気テープに前記ビデオデータを記録する場合は、
該計算した位置情報と、前記磁気テープから再生される前記位置情報との比較により、前記磁気テープを走行させて前記Ｐピクチャ又はＩピクチャにより頭出しした後、前記磁気テープに前記ビデオデータを記録し、
前記ユーザーの所望するビデオデータの復号時刻より前記磁気テープに記録した前記ビデオデータを再生する場合は、
該計算した位置情報と、前記磁気テープから再生される前記位置情報との比較により、前記磁気テープを走行させて前記Ｉピクチャにより頭出しした後、前記磁気テープに記録された前記ビデオデータを再生する
ことを特徴とするビデオテープレコーダ。
【請求項２】
前記制御手段は、
前記ビデオデータの復号時刻と前記ストリーミングデータを前記復号手段に留める時間との減算値に対して、前記磁気テープに記録する前記位置情報が比例関係となるように、前記符号化手段、前記記録系の動作を制御し、
該比例関係を利用して、前記ユーザーの所望する前記ビデオデータの前記位置情報を計算する
ことを特徴とする請求項１に記載のビデオテープレコーダ。
【請求項３】
前記制御手段は、
前記ユーザーの所望する前記ビデオデータのピクチャの種類を判別して、前記頭出しの処理を実行する
ことを特徴とする請求項１に記載のビデオテープレコーダ。
【請求項４】
磁気テープに順次斜めに記録トラックを形成してビデオデータを記録するビデオテープレコーダの制御方法において、
前記ビデオテープレコーダは、
前記ビデオデータをＧＯＰにより区切ってＩピクチャ、Ｐピクチャ、Ｂピクチャを設定して符号化処理することにより、前記ビデオデータを可変長符号化処理してストリーミングデータを出力する符号化手段と、
前記各記録トラックに位置情報を設定して、前記符号化手段から出力される前記ストリーミングデータを前記磁気テープに順次記録して前記記録トラックを形成する記録系と、
磁気ヘッドから出力される再生信号を信号処理して、前記磁気テープに記録された前記ストリーミングデータを再生する再生系と、
前記再生系で再生される前記ストリーミングデータから前記ビデオデータを復号する復号手段とを備え、
前記ビデオテープレコーダの制御方法は、
ユーザーの所望する前記ビデオデータの復号時刻の管理情報と前記ストリーミングデータを前記復号手段に留める時間の情報とに基づいて、前記磁気テープに記録された前記位置情報を計算する位置情報の計算ステップと、
前記ユーザーの所望するビデオデータの復号時刻より前記磁気テープに前記ビデオデータを記録する場合は、
該計算した位置情報と、前記磁気テープから再生される前記位置情報との比較により、前記磁気テープを走行させて前記Ｐピクチャ又はＩピクチャにより頭出しした後、前記磁気テープに前記ビデオデータを記録し、
前記ユーザーの所望するビデオデータの復号時刻より前記磁気テープに記録した前記ビデオデータを再生する場合は、
該計算した位置情報と、前記磁気テープから再生される前記位置情報との比較により、前記磁気テープを走行させて前記Ｉピクチャにより頭出しした後、前記磁気テープに記録された前記ビデオデータを再生するステップとを有する
ことを特徴とするビデオテープレコーダの制御方法。
【請求項５】
演算処理手段に所定の処理手順を実行させることにより、磁気テープに順次斜めに記録トラックを形成してビデオデータを記録するビデオテープレコーダの制御プログラムにおいて、
前記ビデオテープレコーダは、
前記ビデオデータをＧＯＰにより区切ってＩピクチャ、Ｐピクチャ、Ｂピクチャを設定して符号化処理することにより、前記ビデオデータを可変長符号化処理してストリーミングデータを出力する符号化手段と、
前記各記録トラックに位置情報を設定して、前記符号化手段から出力される前記ストリーミングデータを前記磁気テープに順次記録して前記記録トラックを形成する記録系と、
磁気ヘッドから出力される再生信号を信号処理して、前記磁気テープに記録された前記ストリーミングデータを再生する再生系と、
前記再生系で再生される前記ストリーミングデータから前記ビデオデータを復号する復号手段とを備え、
前記処理手順は、
ユーザーの所望する前記ビデオデータの復号時刻の管理情報と前記ストリーミングデータを前記復号手段に留める時間の情報とに基づいて、前記磁気テープに記録された前記位置情報を計算する位置情報の計算ステップと、
前記ユーザーの所望するビデオデータの復号時刻より前記磁気テープに前記ビデオデータを記録する場合は、
該計算した位置情報と、前記磁気テープから再生される前記位置情報との比較により、前記磁気テープを走行させて前記Ｐピクチャ又はＩピクチャにより頭出しした後、前記磁気テープに前記ビデオデータを記録し、
前記ユーザーの所望するビデオデータの復号時刻より前記磁気テープに記録した前記ビデオデータを再生する場合は、
該計算した位置情報と、前記磁気テープから再生される前記位置情報との比較により、前記磁気テープを走行させて前記Ｉピクチャにより頭出しした後、前記磁気テープに記録された前記ビデオデータを再生するステップとを有する
ことを特徴とするビデオテープレコーダの制御プログラム。
【請求項６】
演算処理手段に所定の処理手順を実行させることにより、磁気テープに順次斜めに記録トラックを形成してビデオデータを記録するビデオテープレコーダの制御プログラムを記録した記録媒体において、
前記ビデオテープレコーダは、
前記ビデオデータをＧＯＰにより区切ってＩピクチャ、Ｐピクチャ、Ｂピクチャを設定して符号化処理することにより、前記ビデオデータを可変長符号化処理してストリーミングデータを出力する符号化手段と、
前記各記録トラックに位置情報を設定して、前記符号化手段から出力される前記ストリーミングデータを前記磁気テープに順次記録して前記記録トラックを形成する記録系と、
磁気ヘッドから出力される再生信号を信号処理して、前記磁気テープに記録された前記ストリーミングデータを再生する再生系と、
前記再生系で再生される前記ストリーミングデータから前記ビデオデータを復号する復号手段とを備え、
前記処理手順は、
ユーザーの所望する前記ビデオデータの復号時刻の管理情報と前記ストリーミングデータを前記復号手段に留める時間の情報とに基づいて、前記磁気テープに記録された前記位置情報を計算する位置情報の計算ステップと、
前記ユーザーの所望するビデオデータの復号時刻より前記磁気テープに前記ビデオデータを記録する場合は、
該計算した位置情報と、前記磁気テープから再生される前記位置情報との比較により、前記磁気テープを走行させて前記Ｐピクチャ又はＩピクチャにより頭出しした後、前記磁気テープに前記ビデオデータを記録し、
前記ユーザーの所望するビデオデータの復号時刻より前記磁気テープに記録した前記ビデオデータを再生する場合は、
該計算した位置情報と、前記磁気テープから再生される前記位置情報との比較により、前記磁気テープを走行させて前記Ｉピクチャにより頭出しした後、前記磁気テープに記録された前記ビデオデータを再生するステップとを有する
ことを特徴とするビデオテープレコーダの制御プログラムを記録した記録媒体。
【発明の詳細な説明】
【技術分野】
【０００１】
本発明は、ビデオテープレコーダ、ビデオテープレコーダの制御方法、ビデオテープレコーダの制御プログラム及びビデオテープレコーダの制御プログラムを記録した記録媒体に関し、例えばＭＰＥＧ（Moving Picture Experts Group）２により可変長符号化処理してビデオデータを記録するビデオテープレコーダに適用することができる。本発明は、所望するビデオデータの復号時刻の管理情報とストリーミングデータを復号手段に留める時間の情報とにより磁気テープの各記録トラックに設定した位置情報を計算し、該計算した位置情報により記録時はＰピクチャ又はＩピクチャにより頭出しし、再生時はＩピクチャにより頭出しすることにより、可変長符号化処理によりビデオデータを記録するようにして、その時点で再生しているビデオデータの時間情報から、対応する磁気テープ上の記録位置に迅速に移動して所望の処理を実行することができるようにする。
【背景技術】
【０００２】
従来、アナログ信号によるビデオ信号を記録するビデオテープレコーダは、正及び負のアジマス角による１対の記録トラックを単位にして、１フレームのビデオ信号を１対の記録トラックに割り当てて記録する。これに対してビデオデータを記録するビデオテープレコーダは、固定長によりビデオデータを符号化処理した後、複数対の記録トラックに１フレームのビデオデータを割り当てて記録する。
【０００３】
これによりこれらのビデオテープレコーダでは、その時点で再生しているビデオ信号、ビデオデータの時間情報から、対応するビデオ信号、ビデオデータの記録位置を一意に求めることができ、これにより例えば特開平６−５０５１号公報等に開示されているように、この一意の関係を利用して頭出し等の処理を実行する。
【０００４】
また近年、例えば特開２００４−１６４７３１号公報等に、ＭＰＥＧ２等の可変長符号化処理によりビデオデータを符号化処理して磁気テープに記録するビデオテープレコーダが提案されている。この特開２００４−１６４７３１号公報には、ビデオデータを記録する際に、併せてつなぎ記録の可能な開始点の位置情報を磁気テープ上に記録し、つなぎ記録する場合、この磁気テープ上の記録に基づいて、つなぎ記録の開始が指示された点に最も近接したつなぎ記録の可能な開始点よりつなぎ記録を開始する方法が開示されている。
【０００５】
ところでこの種のビデオテープレコーダは、例えば編集処理に適用することが求められる。この場合、再生したビデオデータをモニタしてユーザーが編集点を指示すると、この編集点より磁気テープに記録されたビデオデータを記録し直すことになる。
【０００６】
しかしながらこのように可変長符号化処理によりビデオデータを記録する場合、１フレーム分のビデオデータが種々のデータ量により記録されることにより、その時点で再生しているビデオデータの時間情報から、所望する時間情報に係るビデオデータの記録位置を一意に求めることが困難な欠点がある。
【０００７】
これにより例えばこの種のビデオテープレコーダを編集処理に適用して、再生したビデオデータをモニタしてユーザーが編集点を指示した場合に、この編集点に対応する磁気テープ上の記録位置に迅速に移動して所望の処理を実行することが困難な問題がある。
【特許文献１】特開平６−５０５１号公報
【特許文献２】特開２００４−１６４７３１号公報
【発明の開示】
【発明が解決しようとする課題】
【０００８】
本発明は以上の点を考慮してなされたもので、可変長符号化処理によりビデオデータを記録するようにして、その時点で再生しているビデオデータの時間情報から、対応する磁気テープ上の記録位置に迅速に移動して所望の処理を実行することができるビデオテープレコーダ、ビデオテープレコーダの制御方法、ビデオテープレコーダの制御プログラム及びビデオテープレコーダの制御プログラムを記録した記録媒体を提案しようとするものである。
【課題を解決するための手段】
【０００９】
かかる課題を解決するため請求項１の発明においては、磁気テープに順次斜めに記録トラックを形成してビデオデータを記録するビデオテープレコーダに適用して、前記ビデオデータをＧＯＰにより区切ってＩピクチャ、Ｐピクチャ、Ｂピクチャを設定して符号化処理することにより、前記ビデオデータを可変長符号化処理してストリーミングデータを出力する符号化手段と、前記各記録トラックに位置情報を設定して、前記符号化手段から出力される前記ストリーミングデータを前記磁気テープに順次記録して前記記録トラックを形成する記録系と、磁気ヘッドから出力される再生信号を信号処理して、前記磁気テープに記録された前記ストリーミングデータを再生する再生系と、前記再生系で再生される前記ストリーミングデータから前記ビデオデータを復号する復号手段と、全体の動作を制御する制御手段とを備え、前記制御手段は、ユーザーの所望する前記ビデオデータの復号時刻の管理情報と前記ストリーミングデータを前記復号手段に留める時間の情報とに基づいて、前記磁気テープに記録された前記位置情報を計算し、前記ユーザーの所望するビデオデータの復号時刻より前記磁気テープに前記ビデオデータを記録する場合は、該計算した位置情報と、前記磁気テープから再生される前記位置情報との比較により、前記磁気テープを走行させて前記Ｐピクチャ又はＩピクチャにより頭出しした後、前記磁気テープに前記ビデオデータを記録し、前記ユーザーの所望するビデオデータの復号時刻より前記磁気テープに記録した前記ビデオデータを再生する場合は、該計算した位置情報と、前記磁気テープから再生される前記位置情報との比較により、前記磁気テープを走行させて前記Ｉピクチャにより頭出しした後、前記磁気テープに記録された前記ビデオデータを再生する。
【００１０】
また請求項４の発明においては、磁気テープに順次斜めに記録トラックを形成してビデオデータを記録するビデオテープレコーダの制御方法に適用して、前記ビデオテープレコーダは、前記ビデオデータをＧＯＰにより区切ってＩピクチャ、Ｐピクチャ、Ｂピクチャを設定して符号化処理することにより、前記ビデオデータを可変長符号化処理してストリーミングデータを出力する符号化手段と、前記各記録トラックに位置情報を設定して、前記符号化手段から出力される前記ストリーミングデータを前記磁気テープに順次記録して前記記録トラックを形成する記録系と、磁気ヘッドから出力される再生信号を信号処理して、前記磁気テープに記録された前記ストリーミングデータを再生する再生系と、前記再生系で再生される前記ストリーミングデータから前記ビデオデータを復号する復号手段とを備え、前記ビデオテープレコーダの制御方法は、ユーザーの所望する前記ビデオデータの復号時刻の管理情報と前記ストリーミングデータを前記復号手段に留める時間の情報とに基づいて、前記磁気テープに記録された前記位置情報を計算する位置情報の計算ステップと、前記ユーザーの所望するビデオデータの復号時刻より前記磁気テープに前記ビデオデータを記録する場合は、該計算した位置情報と、前記磁気テープから再生される前記位置情報との比較により、前記磁気テープを走行させて前記Ｐピクチャ又はＩピクチャにより頭出しした後、前記磁気テープに前記ビデオデータを記録し、前記ユーザーの所望するビデオデータの復号時刻より前記磁気テープに記録した前記ビデオデータを再生する場合は、該計算した位置情報と、前記磁気テープから再生される前記位置情報との比較により、前記磁気テープを走行させて前記Ｉピクチャにより頭出しした後、前記磁気テープに記録された前記ビデオデータを再生するステップとを有するようにする。
【００１１】
また請求項５の発明においては、演算処理手段に所定の処理手順を実行させることにより、磁気テープに順次斜めに記録トラックを形成してビデオデータを記録するビデオテープレコーダの制御プログラムに適用して、前記ビデオテープレコーダは、前記ビデオデータをＧＯＰにより区切ってＩピクチャ、Ｐピクチャ、Ｂピクチャを設定して符号化処理することにより、前記ビデオデータを可変長符号化処理してストリーミングデータを出力する符号化手段と、前記各記録トラックに位置情報を設定して、前記符号化手段から出力される前記ストリーミングデータを前記磁気テープに順次記録して前記記録トラックを形成する記録系と、磁気ヘッドから出力される再生信号を信号処理して、前記磁気テープに記録された前記ストリーミングデータを再生する再生系と、前記再生系で再生される前記ストリーミングデータから前記ビデオデータを復号する復号手段とを備え、前記処理手順は、ユーザーの所望する前記ビデオデータの復号時刻の管理情報と前記ストリーミングデータを前記復号手段に留める時間の情報とに基づいて、前記磁気テープに記録された前記位置情報を計算する位置情報の計算ステップと、前記ユーザーの所望するビデオデータの復号時刻より前記磁気テープに前記ビデオデータを記録する場合は、該計算した位置情報と、前記磁気テープから再生される前記位置情報との比較により、前記磁気テープを走行させて前記Ｐピクチャ又はＩピクチャにより頭出しした後、前記磁気テープに前記ビデオデータを記録し、前記ユーザーの所望するビデオデータの復号時刻より前記磁気テープに記録した前記ビデオデータを再生する場合は、該計算した位置情報と、前記磁気テープから再生される前記位置情報との比較により、前記磁気テープを走行させて前記Ｉピクチャにより頭出しした後、前記磁気テープに記録された前記ビデオデータを再生するステップとを有するようにする。
【００１２】
また請求項６の発明においては、演算処理手段に所定の処理手順を実行させることにより、磁気テープに順次斜めに記録トラックを形成してビデオデータを記録するビデオテープレコーダの制御プログラムを記録した記録媒体に適用して、前記ビデオテープレコーダは、前記ビデオデータをＧＯＰにより区切ってＩピクチャ、Ｐピクチャ、Ｂピクチャを設定して符号化処理することにより、前記ビデオデータを可変長符号化処理してストリーミングデータを出力する符号化手段と、前記各記録トラックに位置情報を設定して、前記符号化手段から出力される前記ストリーミングデータを前記磁気テープに順次記録して前記記録トラックを形成する記録系と、磁気ヘッドから出力される再生信号を信号処理して、前記磁気テープに記録された前記ストリーミングデータを再生する再生系と、前記再生系で再生される前記ストリーミングデータから前記ビデオデータを復号する復号手段とを備え、前記処理手順は、ユーザーの所望する前記ビデオデータの復号時刻の管理情報と前記ストリーミングデータを前記復号手段に留める時間の情報とに基づいて、前記磁気テープに記録された前記位置情報を計算する位置情報の計算ステップと、前記ユーザーの所望するビデオデータの復号時刻より前記磁気テープに前記ビデオデータを記録する場合は、該計算した位置情報と、前記磁気テープから再生される前記位置情報との比較により、前記磁気テープを走行させて前記Ｐピクチャ又はＩピクチャにより頭出しした後、前記磁気テープに前記ビデオデータを記録し、前記ユーザーの所望するビデオデータの復号時刻より前記磁気テープに記録した前記ビデオデータを再生する場合は、該計算した位置情報と、前記磁気テープから再生される前記位置情報との比較により、前記磁気テープを走行させて前記Ｉピクチャにより頭出しした後、前記磁気テープに記録された前記ビデオデータを再生するステップとを有するようにする。
【００１３】
請求項１の構成により、磁気テープに順次斜めに記録トラックを形成してビデオデータを記録するビデオテープレコーダに適用して、前記ビデオデータをＧＯＰにより区切ってＩピクチャ、Ｐピクチャ、Ｂピクチャを設定して符号化処理することにより、前記ビデオデータを可変長符号化処理してストリーミングデータを出力する符号化手段と、前記各記録トラックに位置情報を設定して、前記符号化手段から出力される前記ストリーミングデータを前記磁気テープに順次記録して前記記録トラックを形成する記録系と、磁気ヘッドから出力される再生信号を信号処理して、前記磁気テープに記録された前記ストリーミングデータを再生する再生系と、前記再生系で再生される前記ストリーミングデータから前記ビデオデータを復号する復号手段と、全体の動作を制御する制御手段とを備え、前記制御手段は、ユーザーの所望する前記ビデオデータの復号時刻の管理情報と前記ストリーミングデータを前記復号手段に留める時間の情報とに基づいて、前記磁気テープに記録された前記位置情報を計算すれば、ビデオデータを可変長符号化処理して記録する場合にあっても、復号時刻の管理情報と前記ストリーミングデータを前記復号手段に留める時間の情報とにより対応する磁気テープ上の記録位置を検出して、該記録位置を頭出しすることができ、これにより迅速に所望するビデオデータの記録位置に移動することができる。これにより前記ユーザーの所望するビデオデータの復号時刻より前記磁気テープに前記ビデオデータを記録する場合は、該計算した位置情報と、前記磁気テープから再生される前記位置情報との比較により、前記磁気テープを走行させて前記Ｐピクチャ又はＩピクチャにより頭出しした後、前記磁気テープに前記ビデオデータを記録し、前記ユーザーの所望するビデオデータの復号時刻より前記磁気テープに記録した前記ビデオデータを再生する場合は、該計算した位置情報と、前記磁気テープから再生される前記位置情報との比較により、前記磁気テープを走行させて前記Ｉピクチャにより頭出しした後、前記磁気テープに記録された前記ビデオデータを再生すれば、迅速に続く処理を実行することができる。
【００１４】
これにより請求項４、請求項５、請求項６の構成によれば、可変長符号化処理によりビデオデータを記録するようにして、その時点で再生しているビデオデータの時間情報から、対応する磁気テープ上の記録位置に迅速に移動して所望の処理を実行することができるビデオテープレコーダの制御方法、ビデオテープレコーダの制御プログラム及びビデオテープレコーダの制御プログラムを記録した記録媒体を提供することができる。
【発明の効果】
【００１５】
本発明によれば、可変長符号化処理によりビデオデータを記録するようにして、その時点で再生しているビデオデータの時間情報から、対応する磁気テープ上の記録位置に迅速に移動して所望の処理を実行することができる。
【発明を実施するための最良の形態】
【００１６】
以下、適宜図面を参照しながら本発明の実施例を詳述する。
【実施例１】
【００１７】
（１）実施例の構成
図２は、本発明の実施例に係るビデオテープレコーダを示すブロック図である。このビデオテープレコーダ１は、カメラ一体型のビデオテープレコーダであり、磁気テープ１０を一定の走行速度で走行させながら、この磁気テープ１０を所定の巻き付け角度で巻き付けた回転ドラムを一定の回転速度で回転させることにより、この磁気テープ１０に順次斜めに記録トラックを形成する。また順次得られるビデオデータＤ１をＭＰＥＧ２により可変長符号化処理して、この磁気テープ１０に記録する。なおこのビデオテープレコーダ１では、このビデオデータＤ１に付随するオーディオデータについても、同時に記録するように構成されているものの、以下において、主にビデオデータＤ１について構成を説明する。
【００１８】
すなわちこのビデオテープレコーダ１において、選択回路２は、コントローラ３の制御により動作を切り換え、図示しないソース源から供給されるビデオデータＤ１、又は磁気テープ１０より再生されたビデオデータＤ２を選択的に入力して出力する。なおここでソース源は、この実施例ではビデオデータＤ１を出力する撮像手段が適用される。またソース源より供給されるビデオデータＤ１は、記録時、編集処理時において磁気テープ１０への記録に供するビデオデータであり、磁気テープ１０より再生されるビデオデータＤ２は、再生時、ユーザーのモニタに供するビデオデータ、編集処理時、クロスフェード等の編集処理に供するビデオデータである。
【００１９】
画像メモリ４は、コントローラ３の制御により、選択回路２から出力されるビデオデータＤ１、Ｄ２を記録して保持し、またこの保持したビデオデータＤ１、Ｄ２を順次出力する。
【００２０】
画像処理回路５は、コントローラ３の制御により動作を切り換え、再生時、選択回路２から出力されるビデオデータＤ２を選択的に入力し、このビデオデータＤ２を何ら処理することなく表示装置６に出力する。これらによりこのビデオテープレコーダ１では、この表示装置６により磁気テープ１０より再生されるビデオデータＤ２をモニタできるように構成される。
【００２１】
また画像処理回路５は、記録時、選択回路２から出力されるビデオデータＤ１を選択的に入力し、このビデオデータＤ１を何ら処理することなく、表示装置６に出力すると共に、続く選択回路７を介して符号処理回路８に出力する。これらによりこのビデオテープレコーダ１では、記録時、記録に供するビデオデータＤ１をこの表示装置６によりモニタできるように構成される。
【００２２】
これに対して編集処理時、画像処理回路５は、コントローラ３の制御により、画像メモリ４から出力されるビデオデータ、選択回路２から出力されるビデオデータＤ１を編集処理し、編集処理結果を表示装置６に出力すると共に、続く選択回路７を介して符号処理回路８に出力する。これによりワイプ、ディゾルブ等のいわゆる２ソースエフェクトに係る処理にあっては、画像メモリ４から出力されるビデオデータと、選択回路２から出力されるビデオデータＤ１とを、キーイング、演算処理等して出力する。これによりこのビデオテープレコーダ１では、編集処理においても、表示装置６により編集結果を確認することができるように構成されている。
【００２３】
選択回路７は、コントローラ３の制御により動作を切り換え、記録時、画像処理回路５から出力されるビデオデータＤ３を選択的に符号処理回路８に出力する。
【００２４】
符号処理回路８は、コントローラ３の制御により、この選択回路７から出力されるビデオデータＤ３をオーディオデータと共にＭＰＥＧ２のフォーマットにより符号化処理し、ビデオデータ及びオーディオデータによるプログラムストリームを出力する。なおこの実施例において、符号処理回路８は、１５ピクチャにより１ＧＯＰを形成し、各ＧＯＰの先頭Ｉピクチャより３ピクチャ毎にＰピクチャを設定し、他のピクチャについては、Ｂピクチャに設定する。
【００２５】
記録系９は、コントローラ３の制御により、この符号処理回路８から出力されるストリーミングデータを処理して所定フォーマットにより磁気テープ１０に記録する。ここで記録系９は、約３００トラック／１秒の速度により順次、正及び負のアジマス角による１対の記録トラックを磁気テープ１０に形成して、符号処理回路８から出力されるストリーミングデータを磁気テープ１０に記録する。なお以下において、この正及び負のアジマス角による１対の斜めトラックをトラックペアと呼ぶ。このとき記録系９は、各記録トラックに順次循環的にトラッキング制御用のパイロット信号を割り当てて各記録トラックを記録する。
【００２６】
また記録系９は、メインデータセクタ、サブコードセクタのセクタ構造により各記録トラックを形成し、符号処理回路８から出力されるストリーミングデータをメインデータセクタに割り当てて記録するのに対し、サブコードセクタに、これらメインデータセクタに記録したデータの管理用情報を割り当てて記録する。
【００２７】
この処理において、記録系９は、図５に再生画像との対比により各ピクチャの磁気テープ１０上の配列を示すように、Ｂピクチャの後予測に係る予測フレームに設定されているＰピクチャを、対応する２つのＢピクチャの前に配置し、またこのようなＰピクチャの配置に対応するように、直前ＧＯＰの末尾の２つのＢピクチャの前にＩピクチャを配置し、これにより後述するようにＩピクチャ又はＰピクチャを基準にしてつなぎ記録できるように、メインデータを記録する。
【００２８】
図３は、このメインデータセクタに係るこのビデオテープレコーダ１の記録フォーマットの説明に供する略線図である。記録系９は、図中において符号ＥＣＣ０、ＥＣＣ１、ＥＣＣ２、……により示すように、１６トラックを誤り訂正処理単位に設定して１６トラック分のメインデータによりＥＣＣブロックを形成し、ＥＣＣブロック毎に、積符号形式により誤り訂正符号を設定してインターリーブ処理する。記録系９は、このようにして処理したＥＣＣブロックのメインデータに、所定ブロック単位で、同期パターンＳＹＮＣ、識別コードＩＤ、ヘッダーを設定して、パケット構造により各記録トラックに記録する。また各トラックペアには、値０〜３１のトラックペア番号を順次循環的に割り当て、これによりインターリーブの先頭トラックペアには、値０、７、１５又は値２３のトラックペア番号を設定する。
【００２９】
記録系９は、このようにしてＥＣＣブロック単位で記録トラックを形成してビデオデータ及びオーディオデータを記録する際に、符号Ｈにより示すように、各ＥＣＣブロックの先頭に、ＥＣＣＴＢパケットを割り当て、このＥＣＣＴＢパケットに、対応するＥＣＣブロックの管理用情報を割り当てる。なお記録系９は、このＥＣＣＴＢパケットの管理用情報に、ＥＣＣブロックの先頭トラックのサブコードセクタに割り当てられるデータとほぼ同一内容のデータを割り当てる。また符号Ｕ及びＸにより示すように、記録系９は、オーディオデータ及びビデオデータの補助データによるパケットを各ピクチャのメインセクタにそれぞれ設け、ビデオデータの補助データに、ストリーミングデータに設定されている各ピクチャタイプ、ビデオデータの復号時刻の管理情報ＤＴＳ（Decoding Time Stamp）、ストリーミングデータを復号手段に留める時間の情報ＶＢＶ（Video Buffering Verifier）  ＤＥＬＡＹ等を割り当てる。
【００３０】
なおこの図３において、符号Ｉ、Ｐ及びＢは、それぞれＩピクチャ、Ｐピクチャ及びＢピクチャの始まりを示し、符号Ａは、オーディオデータを示す。これらオーディオデータ、補助データのパケットは、対応するビデオデータの先頭にまとめて設けられる。またメインデータには、これらの他に、データ量の調整のために、ＮＵＬＬデータによるＮＵＬＬパケットが適宜設けられる。またこの図３の上下に付した符号０〜Ｅは、各ＥＣＣブロックにおけるトラック番号である。
【００３１】
これらメインセクタの設定に対応して、記録系９は、各記録トラックのサブコードセクタに、テープ位置情報ＡＴＮＦ及び各種のフラグ、拡張トラック番号ＥＴＮ、タイトルタイムコードＴＴＣ、バイナリーグループ、オリジナルの記録日時、時間の情報、磁気テープ１０への記録日時、時間の情報、コピー世代を示す情報等を割り当てる。
【００３２】
ここでテープ位置情報ＡＴＮＦは、各記録トラックの絶対位置情報であり、テープ先頭からカウントした各記録トラックまでのトラック番号（ＡＴＮ：Ａｂｓｏｌｕｔｅ  Ｔｒａｃｋ  Ｎｕｍｂｅｒ）により表される。またフラグは、テープ位置情報ＡＴＮＦの連続性が途絶えた場合、Ｉピクチャ又はＰピクチャの先頭パケットが記録トラックの属するＥＣＣブロックに含まれている場合等にそれぞれセットされる。なおここでＩピクチャ又はＰピクチャの先頭パケットが記録トラックの属するＥＣＣブロックに含まれている場合、このビデオテープレコーダ１では、このＥＣＣブロックでつなぎ記録が可能となる。
【００３３】
拡張トラック番号ＥＴＮは、磁気テープ１０上における各記録トラックの絶対位置情報であり、ストリーミングデータに設けられたビデオデータの復号時刻の管理情報ＤＴＳとストリーミングデータを復号手段に留める時間ＶＢＶ  ＤＥＬＡＹとの差分に対して比例関係に設定される。また拡張トラック番号ＥＴＮは、復号時における動作基準、このビデオテープレコーダ１の動作基準であるシステムタイムクロックＳＴＣ（Ｓｙｓｔｅｍ  Ｔｉｍｅ  Ｃｌｏｃｋ）に対して比例関係となるように設定される。
【００３４】
より具体的に、拡張トラック番号ＥＴＮは、各ピクチャの先頭パケットを割り当てた記録トラックにおいて、フィールド周波数５９．９４〔Ｈｚ〕のシステムでは、ＥＴＮ＝（ＤＴＳ−ＶＢＶ  ＤＥＬＡＹ）×１０／３００３となるように設定され、またフィールド周波数５０〔Ｈｚ〕のシステムでは、ＥＴＮ＝（ＤＴＳ−ＶＢＶ  ＤＥＬＡＹ）×１２／３６００となるように設定される。これによりこのビデオテープレコーダ１では、再生されたストリーミングデータに設定されている復号時刻の管理情報ＤＴＳとＶＢＶ  ＤＥＬＡＹとにより、又はビデオデータの補助データパケットに設定されている復号時刻の管理情報ＤＴＳとＶＢＶ  ＤＥＬＡＹとにより、対応するビデオデータの記録位置を検出できるように設定される。
【００３５】
これらによりこのビデオテープレコーダ１において、符号処理回路８は、これらの関係を満足するように発生符号量を制御して順次入力されるビデオデータ及びオーディオデータを符号化処理してストリーミングデータを形成し、記録系９は、このストリーミングデータに基づいてサブコード、ＮＵＬＬデータによるパケット等を設定して順次ストリーミングデータを磁気テープ１０に記録する。
【００３６】
再生系１１は、コントローラ３の制御により、磁気ヘッドから出力される再生信号を信号処理し、磁気テープ１０に記録されたストリーミングデータ、サブコードのデータを再生してそれぞれ復号処理回路１２、コントローラ３に出力する。
【００３７】
復号処理回路１２は、この再生系１１で再生されるストリーミングデータを入力し、ビデオデータＤ２及びオーディオデータを復号して出力する。
【００３８】
コントローラ３は、所定のプログラムの実行により図示しない操作子の操作に応動してこのビデオテープレコーダ１全体の動作を制御する。なおこの実施例において、このプログラムは、事前に、ビデオテープレコーダ１にインストールされて提供されるものの、このような事前のインストールによる提供に代えて、インターネット等のネットワークを介したダウンロードにより提供するようにしてもよく、各種の記録媒体により提供するようにしてもよい。なおこのような記録媒体は、光ディスク、磁気ディスク、メモリカード等、種々の記録媒体を広く適用することができる。
【００３９】
すなわちコントローラ３は、未だビデオデータＤ１を何ら記録していない磁気テープ１０が装填された状態で、ユーザーによりビデオデータＤ１の記録が指示されると、順次入力されるビデオデータＤ１を画像処理回路５を介して符号処理回路８に入力するように全体の動作を切り換え、このビデオデータＤ１を上述したフォーマットにより順次磁気テープ１０に記録する。またこのようにしてビデオデータＤ１を記録して、ユーザーにより記録の停止が指示されると、符号処理回路８、記録系９、図示しない磁気テープ１０走行系等の動作を停止制御し、これによりビデオデータＤ１の記録を中止する。
【００４０】
これに対してユーザーにより磁気テープ１０の巻き戻し、早送りが指示されると、磁気テープ１０走行系の制御により巻き戻し、早送りの処理を実行する。
【００４１】
またユーザーにより磁気テープ１０の再生が指示されると、再生系１１、復号処理回路１２、磁気テープ１０走行系の制御により磁気テープ１０からビデオデータＤ２及びオーディオデータを再生し、表示装置６により表示すると共に、外部機器に出力する。
【００４２】
またこのように磁気テープ１０に記録されたビデオデータＤ２を再生している状態で、所定の操作子の操作によりユーザーによりつなぎ撮り用しおりの設定が指示されると、図４の処理手順の実行によりつなぎ撮り用しおりの設定を受け付ける。ここでつなぎ撮り用しおりは、つなぎ記録を目的に設定される目印であり、編集処理にあっては編集点の目印として機能する。コントローラ３は、磁気テープ１０に記録されたビデオデータＤ２を再生している状態で、ユーザーによりつなぎ撮り用しおり設定の操作子が操作されると、この処理手順を開始し、ステップＳＰ１からステップＳＰ２に移る。ここでコントローラ３は、再生系１１より取得したビデオデータの補助データのパケットデータに基づいて、つなぎ撮り用しおり設定の操作子が操作された時点で現在表示装置６で表示しているピクチャがＩピクチャ又はＰピクチャか否か判断する。なおこの判断にあっては、復号処理回路１２より得られる復号結果により判定するようにしてもよい。
【００４３】
ここで肯定結果が得られると、コントローラ３は、ステップＳＰ２からステップＳＰ３に移り、このつなぎ撮り用しおり設定の操作子が操作された時点で現在表示装置６で表示しているピクチャを特定する情報をメモリ１３に記録し、これによりこのピクチャにつなぎ撮り用しおりを設定する。
【００４４】
これに対してステップＳＰ２で否定結果が得られると、コントローラ３は、ステップＳＰ２からステップＳＰ５に移り、現在の再生状態が、連続するピクチャを順次対応する復号時刻の管理情報ＤＴＳに従って順次再生するいわゆるノーマル再生の状態か否か判断する。ここで肯定結果が得られると、コントローラ３は、ステップＳＰ５からステップＳＰ６に移り、次のフレームの再生を待機し、ステップＳＰ２に戻る。これによりこの場合、コントローラ３は、ユーザーがつなぎ撮り用しおりの設定を指示した時点のピクチャがＩピクチャ又はＰピクチャの場合、この指示した時点のピクチャにつなぎ撮り用しおりを設定するのに対し、しおりの設定を指示した時点のピクチャがＢピクチャの場合、続いて現れるＩピクチャ又はＰピクチャによりつなぎ撮り用しおりを設定する。
【００４５】
これに対してコマ送り再生、ポーズの状態で、ユーザーがつなぎ撮り用しおりの設定を指示した場合にあって、再生中のピクチャがＩピクチャ又はＰピクチャでない場合、ステップＳＰ５で否定結果が得られることにより、コントローラ３は、ステップＳＰ５からステップＳＰ７に移り、表示中のピクチャにはしおりを設定できない旨、表示装置６にエラーメッセージを表示した後、ステップＳＰ４に移ってこの処理手順を終了する。
【００４６】
これにより図５に磁気テープ１０上における記録の順序と、表示装置６における表示の順序とにより各ピクチャを示すように、コントローラ３は、Ｉピクチャ又はＰピクチャについて、つなぎ撮り用しおりの設定に係る指定画像の設定を受け付ける。
【００４７】
これに対して磁気テープ１０に記録されたビデオデータＤ２を再生している状態で、所定の操作子の操作によりユーザーにより再生用しおりの設定が指示されると、コントローラ３は、同様にして再生用しおりの設定を受け付ける。但し、上述したように、つなぎ撮り用しおりについては、Ｉピクチャ又はＰピクチャにより設定を受け付けるのに対し、再生用しおりにあっては、ピクチャタイプによらず、その時点で再生しているピクチャについて設定を受け付ける。
【００４８】
図６は、図４のステップＳＰ３３に係るつなぎ撮り用しおり登録、対応する再生用しおり登録の詳細な処理手順を示すフローチャートである。コントローラ３は、この処理手順の実行により、磁気テープ１０上における位置情報によりしおりを登録する。すなわちコントローラ３は、この処理手順を開始すると、ステップＳＰ１１からステップＳＰ１２に移り、再生系１１又は復号処理回路１２から得られるこのピクチャの復号時刻の管理情報ＤＴＳとＶＢＶ  ＤＥＬＡＹとにより、対応する拡張トラック番号ＥＴＮを計算してメモリ１３に記録し、これにより磁気テープ１０上の記録位置情報によりこのピクチャを特定する情報をメモリ１３に記録する。これによりコントローラ３は、Ｉピクチャ又はＰピクチャの先頭パケットが記録された記録トラックの記録位置情報によりつなぎ撮り用しおりを登録するのに対し、ユーザーにより指示された時点で再生しているピクチャの先頭パケットが記録された記録トラックの記録位置情報により再生用しおりを登録する。
【００４９】
コントローラ３は、このようにしてしおりを登録すると、続くステップＳＰ１３において、このしおりがつなぎ撮り用しおりによるものか否か判断する。ここで否定結果が得られると、コントローラ３は、ステップＳＰ１３からステップＳＰ１４に移り、元の処理手順に戻る。これに対してステップＳＰ１３で肯定結果が得られると、コントローラ３は、ステップＳＰ１３からステップＳＰ１５に移り、ここでしおりを設定したピクチャに係るビデオデータＤ２を画像メモリ４に保持した状態で、ステップＳＰ１４に移ってこの処理手順を終了する。
【００５０】
コントローラ３は、このようにしてしおりの登録を受け付け、ユーザーによりしおりを用いた頭出しが指示されると、図１及び図７に示す処理手順の実行により、頭出しの処理を実行する。すなわちコントローラ３は、ユーザーがしおりによる頭出しを指示すると、ステップＳＰ２１からステップＳＰ２２に移り、しおりが登録されているか否か判断し、ここで否定結果が得られると、ステップＳＰ２２からステップＳＰ２３に移ってこの処理手順を終了する。これに対してステップＳＰ２２で肯定結果が得られると、コントローラ３は、ステップＳＰ２２からステップＳＰ２４に移り、ここでしおりに登録された拡張トラック番号ＥＴＮによる記録位置を目標位置に設定する。また続くステップＳＰ２５において、現在位置において磁気テープ１０より再生されるビデオデータＤ２のサブコードより、磁気テープ１０上における現在位置情報を拡張トラック番号ＥＴＮにより検出し、この現在位置情報と目標位置情報とを比較する。
【００５１】
ここでこれらの情報の比較により現在位置が目標位置よりテープトップ側である場合、ステップＳＰ２５からステップＳＰ２６に移り、現在位置情報と目標位置情報とに係る拡張トラック番号ＥＴＮの差分値に応じた長さだけ、磁気テープ１０を順方向に走行させた後、ステップＳＰ２５に戻る。なおこのときコントローラ３は、これら現在位置情報と目標位置情報とに係る拡張トラック番号ＥＴＮの差分値が一定値より大きい場合、早送りにより磁気テープ１０を走行させる。
【００５２】
これに対してこれらの情報の比較により現在位置が目標位置よりテープエンド側である場合、コントローラ３は、ステップＳＰ２５からステップＳＰ２７に移り、現在位置情報と目標位置情報とに係る拡張トラック番号ＥＴＮの差分値に応じた長さだけ、磁気テープ１０を逆方向に走行させた後、ステップＳＰ２５に戻る。なおこの場合もコントローラ３は、これら現在位置情報と目標位置情報とに係る拡張トラック番号ＥＴＮの差分値が一定値より大きい場合、早送りにより磁気テープ１０を走行させる。
【００５３】
これに対してこれら現在位置及び目標位置に係る拡張トラック番号ＥＴＮが一致している場合、すなわち磁気テープ１０上における現在位置がしおりを設定した目標位置となった場合、コントローラ３は、ステップＳＰ２５からステップＳＰ２８に移る。ここでコントローラ３は、しおりによる頭出しの指示が、つなぎ撮り用しおりによるものか否か判断する。
【００５４】
ここでこのしおりの設定が再生用しおりの場合、否定結果が得られることにより、コントローラ３は、ステップＳＰ２８からステップＳＰ２９に移り、現在位置の記録トラックで再生されるビデオデータがＩピクチャか否か判断する。ここで否定結果が得られると、コントローラ３は、ステップＳＰ２９からステップＳＰ３０に移り、逆方向に磁気テープ１０を巻き戻した後、ステップＳＰ３０に戻る。これによりコントローラ３は、磁気テープ１０に記録されたビデオデータＤ１を再生する場合であって、しおりによる指定画像がＩピクチャの場合、この指定画像の記録開始位置により頭出しの処理を実行するのに対し、図８（Ａ）及び（Ｂ１）に示すように、しおりによる指定画像がＰピクチャ又はＢピクチャの場合、直前のＩピクチャまで磁気テープ１０を巻き戻ししてＩピクチャにより頭出しの処理を実行する。ここでコントローラ３は、ユーザーによる再生開始の指示を待機する状態でステップＳＰ２３に移ってこの処理手順を終了する。なおこの場合、このように直前のＩピクチャまで磁気テープ１０を巻き戻しして頭出しした後、表示装置に再生結果を表示しないようにして、矢印Ａにより示すように、しおりが設定された箇所まで磁気テープ１０を再生し、しおりが設定されたピクチャを静止画により表示して待機するようにしてもよい。
【００５５】
これに対してしおりによる頭出しの指示が、つなぎ撮り用しおりによるものの場合、コントローラ３は、ステップＳＰ２８からステップＳＰ３１に移る。ここでコントローラ３は、現在位置の記録トラックで再生されるビデオデータにより現在位置がＢピクチャ以外であって、かつしおり設定箇所より現在位置がテープエンド側であるか否か判断し、ここで否定結果が得られると、ステップＳＰ３１からステップＳＰ３２に移り、順方向に磁気テープ１０を走行させ、ステップＳＰ３１に戻る。
【００５６】
これに対してステップＳＰ３１で肯定結果が得られると、コントローラ３は、ステップＳＰ３１からステップＳＰ３３に移り、記録スタンバイの状態に全体の動作を切り換えた後、ステップＳＰ２３に移ってこの処理手順を終了する。またこのときこのつなぎ撮り記録の開始時、ユーザーにより２ソースエフェクトに係る処理が指示されている場合、画像メモリ４に保持したビデオデータと、順次入力されるビデオデータＤ１とを同時に表示する。
【００５７】
これによりコントローラ３は、図５、図８（Ａ）及び（Ｃ）により示すように、しおりを設定したＩピクチャ又はＰピクチャに続くＰピクチャ又はＩピクチャに編集点を設定し、この編集点より記録を開始するように記録スタンバイ状態により待機し、ユーザーによる記録開始の指示によりつなぎ撮り記録を開始する。なおコントローラ３は、このようにしてつなぎ記録を開始する場合、画像メモリ４に保持したしおり設定箇所に係るピクチャを表示装置６により表示した状態で、順方向に磁気テープ１０を走行させて、編集点により順次入力されるビデオデータＤ１を記録するように、また表示装置６の表示を切り換えるように、全体の動作を制御する。またこのとき２ソースエフェクトによる記録開始が指示されている場合には、画像メモリ４に保持したビデオデータと順次入力されるビデオデータＤ１との編集処理を編集点により開始して記録するように、また一連の編集結果を表示するように画像処理回路５の動作を制御する。またこれらつなぎ記録の開始よりＧＯＰを順次設定して符号化処理するように符号処理回路８の動作を制御する。またこれらの一連の処理において、所定数だけＥＣＣブロックを再生して記録し直すことにより、サブコード、ＥＣＣＴＢパケットの連続性等を維持する。
【００５８】
（２）実施例の動作
以上の構成において、このビデオテープレコーダ１では（図２）、撮像手段より得られるビデオデータＤ１がオーディオデータと共に画像処理回路５を介して符号処理回路８に入力され、ここでＭＰＥＧ２により可変長符号化処理され、その処理結果であるストリームデータが記録系９により磁気テープ１０に記録される。この記録時、ビデオデータＤ１は（図３）、各ピクチャに、復号時刻の管理情報ＤＴＳ、ストリーミングデータを復号手段に留める時間の情報ＶＢＶ  ＤＥＬＡＹ等の補助データが、補助データ用のパケットに割り当てられて記録される。またこのビデオデータＤ１は、一定の回転速度により回転する回転ドラムに設けられた磁気ヘッドを介して、一定速度により走行する磁気テープ１０に順次記録トラックを形成して磁気テープ１０に記録される。これにより各ピクチャの記録位置は、比例定数をαとおいて、α×（ＤＴＳ−ＶＢＶ  ＤＥＬＡＹ）により表されることになる。これによりこの関係を利用すれば、可変長符号化処理により種々にデータ量が変化して磁気テープ１０に記録される場合であっても、その時点で再生しているビデオデータの時間情報から対応する磁気テープ１０上の記録位置を検出できることになる。
【００５９】
これによりこの実施例では、この関係を利用して、ユーザーの所望するビデオデータの復号時刻の管理情報ＤＴＳとストリーミングデータを復号手段に留める時間の情報ＶＢＶ  ＤＥＬＡＹとに基づいて、磁気テープ１０に記録された位置情報が計算され、この計算した位置情報と、再生系１１を介して磁気テープ１０から得られる位置情報との比較により、磁気テープ１０を走行させて頭出しした後、磁気テープ１０にビデオデータＤ１が記録され、又は磁気テープ１０に記録されたビデオデータが再生される。
【００６０】
すなわちこの磁気テープ１０よりビデオデータＤ２を再生する場合、磁気ヘッドから出力される再生信号が再生系１１により処理されてストリームデータが再生され、このストリームデータが復号処理回路１２により処理されてビデオデータＤ１が再生される。
【００６１】
この処理において、ユーザーによりしおりの設定が指示されると、その時点で表示しているピクチャの復号時刻の管理情報ＤＴＳとストリーミングデータを復号手段に留める時間の情報ＶＢＶ  ＤＥＬＡＹとから、磁気テープ１０上におけるビデオデータの記録位置が計算される。またこのしおりによる磁気テープ１０の記録が指示されると、磁気テープ１０より再生される記録位置がこの計算した記録位置になるように、磁気テープ１０が順方向、逆方向に走行されて、Ｐピクチャ又はＩピクチャが頭出しされた後、これらＰピクチャ又はＩピクチャより順次ＧＯＰ単位によりビデオデータが重ね書きにより記録される。またこのしおりによる磁気テープ１０の再生が指示されると、磁気テープ１０より再生される記録位置がこの計算した記録位置になるように、磁気テープ１０が順方向、逆方向に走行されて、Ｉピクチャが頭出しされた後、このＩピクチャより順次磁気テープ１０に記録されたビデオデータＤ１が再生される。
【００６２】
これによりこのビデオテープレコーダ１では、ビデオデータを可変長符号化処理して磁気テープに記録する場合であっても、その時点で再生しているビデオデータの時間情報から対応する磁気テープ１０上の記録位置に迅速に移動することが可能となり、その分、続く処理を迅速に実行することが可能となる。
【００６３】
これらの処理において、このビデオテープレコーダ１では、このしおりの設定が再生用の目印である再生用しおりの場合、ピクチャタイプに関わらず、Ｉピクチャ、Ｐピクチャ、Ｂピクチャの何れのピクチャについても、しおりの設定を受け付け、このしおりの設定箇所に係る位置情報を計算し、移動命令によりＩピクチャまで戻って頭出し処理する。これにより予測フレームを用いた可変長符号化処理によりビデオデータを磁気テープに記録する場合にあっても、ユーザーの所望するピクチャを確実に再生することが可能となる。
【００６４】
これに対してこのしおりの設定が、つなぎ記録の目印であるつなぎ撮り用しおりの場合、しおりの設定を受け付ける際に、Ｉピクチャ又はＰピクチャによりしおりの設定を受け付け、このしおりの設定箇所に係る位置情報を計算し、移動命令により、しおり設定箇所まで磁気テープを移動させて頭出しする。またしおり設定時にしおり設定箇所のビデオデータが画像メモリ４に記録されて保持される。またこの画像メモリ４に保持したピクチャを表示した状態で、ユーザーによる記録開始の指示により順方向に磁気テープ１０を走行させ、続いて現れるＢピクチャ以外のピクチャを編集点に設定して、この編集点よりビデオデータの記録が開始される。またこのときクロスフェード等の２ソースエフェクトにより記録を開始する場合、しおり設定時に併せてしおり以降のピクチャが画像メモリ４に記録され、この画像メモリ４に保持されたしおり以降のピクチャとの間で編集処理されたビデオデータが編集点より記録される。これによりこのビデオテープレコーダ１では、Ｉピクチャ又はＰピクチャにより頭出ししてビデオデータを重ね書き記録して、磁気テープに記録された他のピクチャの予測フレームを損なうことなく、ビデオデータを磁気テープに記録することができ、つなぎ目におけるコマ飛びを防止することができる。またフェードイン、さらにはクロスフェード等において、つなぎ目前後のカットをきれいにつなぐことができ、これらにより予測フレームを用いた可変長符号化処理によりビデオデータを磁気テープに記録する場合にあっても、ユーザーの意図するように記録することが可能となる。
【００６５】
（３）実施例の効果
以上の構成によれば、所望するビデオデータの復号時刻の管理情報とストリーミングデータを復号手段に留める時間の情報とにより磁気テープの各記録トラックに設定した位置情報を計算し、該計算した位置情報により記録時はＰピクチャ又はＩピクチャにより頭出しし、再生時はＩピクチャにより頭出しすることにより、可変長符号化処理によりビデオデータを記録するようにして、その時点で再生しているビデオデータの時間情報から、対応する磁気テープ上の記録位置に迅速に移動して所望の処理を実行することができる。
【００６６】
またこのとき、ビデオデータの復号時刻とストリーミングデータを復号手段に留める時間との減算値に対して、磁気テープに記録する位置情報が比例関係となるように、符号化手段、記録系の動作を制御すると共に、この比例関係を利用して、ユーザーの所望するビデオデータの位置情報を計算することにより、簡易かつ確実に頭出しの処理を実行することができる。
【００６７】
またユーザーの所望するビデオデータのピクチャの種類を判別して頭出しの処理を実行することにより、このように参照フレームを用いた可変長符号化処理によりビデオデータを磁気テープに記録する場合にあっても、ユーザーの意図するように確実に記録することができる。
【実施例２】
【００６８】
なお上述の実施例においては、再生時、Ｉピクチャまで磁気テープを巻き戻しする場合について述べたが、本発明はこれに限らず、図１及び図７との対比により図９及び図１０に示すように、しおりの設定箇所から所定トラック数、フレーム数だけ磁気テープを巻き戻しして、少なくとも直前のＩピクチャよりテープトップ側により頭出しするようにしてもよい。すなわちこの例においては、頭出しの後に記録する場合、ステップＳＰ２８からステップＳＰ４１に移り、ここでしおりの設定箇所から現在位置のフレーム数が、しおりの設定箇所から直前のＩピクチャまでの取り得る最大のフレーム数に一致するか否か判断し、ここで否定結果が得られると、ステップＳＰ４１からステップＳＰ４２に移り、磁気テープを所定量だけ巻き戻しし、ステップＳＰ４２に移る。なおこの図９及び図１０に示す処理において、図１及び図７と同一の処理は、同一の符号を付して示す。これによりこの場合、図８（Ｂ２）に示すように、しおりの箇所から所定フレーム数だけ磁気テープを巻き戻しして待機し、再生開始の指示を待機することになる。この実施例のように、再生時、フレーム数の判定により少なくともＩピクチャまで磁気テープを巻き戻しするようにしても、実施例１と同様の効果を得ることができる。
【００６９】
また上述の実施例においては、拡張トラック番号によりしおりを登録する場合について述べたが、本発明はこれに限らず、併せてピクチャタイプを登録するようにしてもよい。このようにすれば、しおりにより再生を開始する場合に、現在位置からしおりの直前のＩピクチャまで直接移動するように全体の動作を制御して、さらに一段と迅速に続く処理を実行することができる。
【００７０】
また上述の実施例においては、図５について上述したように、Ｂピクチャの後予測に係る予測フレームのＰピクチャを、対応する２つのＢピクチャの前に配置し、またこれに対応するように、直前のＧＯＰとの間でＩピクチャとＢピクチャとを入れ換えてビデオデータを磁気テープに記録する場合について述べたが、本発明はこれに限らず、例えば符号化の順序の配列によりビデオデータを記録する場合等にも広く適用することができる。
【００７１】
また上述の実施例においては、ＭＰＥＧ２により符号化処理する場合について述べたが、本発明はこれに限らず、例えばＨ２６４により符号化処理する場合等、種々の手法によりビデオデータを可変長符号化処理して磁気テープに記録する場合に広く適用することができる。
【産業上の利用可能性】
【００７２】
本発明は、例えばＭＰＥＧ２により可変長符号化処理したビデオデータを記録するビデオテープレコーダに適用することができる。
【図面の簡単な説明】
【００７３】
【図１】本発明の実施例１に係るビデオテープレコーダにおけるコントローラの処理手順を示すフローチャートである。
【図２】本発明の実施例１に係るビデオテープレコーダを示すブロック図である。
【図３】図２のビデオテープレコーダによる記録フォーマットの説明に供する略線図である。
【図４】つなぎ撮り用しおりの設定に係る処理手順を示すフローチャートである。
【図５】しおりの設定の説明に供する略線図である。
【図６】しおりの登録に係る処理手順を示すフローチャートである。
【図７】図１の続きの処理手順を示すフローチャートである。
【図８】図１の処理手順による記録、再生の説明に供する略線図である。
【図９】本発明の他の実施例に係るビデオテープレコーダにおけるコントローラの処理手順を示すフローチャートである。
【図１０】図９の続きの処理手順を示すフローチャートである。
【符号の説明】
【００７４】
１……ビデオテープレコーダ、３……コントローラ、４……画像メモリ、８……符号処理回路８……記録系、１０……磁気テープ、１１……再生系、１２……復号処理回路
【図１】
2006203277.tif 000003
【図２】
2006203277.tif 000004
【図３】
2006203277.tif 000005
【図４】
2006203277.tif 000006
【図５】
2006203277.tif 000007
【図６】
2006203277.tif 000008
【図７】
2006203277.tif 000009
【図８】
2006203277.tif 000010
【図９】
2006203277.tif 000011
【図１０】
2006203277.tif 000012